(57)【要約】【課題】洗濯機本体の振動を設置床に伝わりにくくして、低振動と低騒音化を実現する。【解決手段】洗濯機本体３０を支える脚４２に減衰手段４４を設けることで、洗濯機本体３０の共振を低減し、かつ第２の弾性体４２ｃを脚４２に設けることで設置床への振動伝達エネルギーを小さくして設置床の振動も低減して、低振動と低騒音を実現することができる。【選択図】図１
2010194028.tif 000002
【特許請求の範囲】
【請求項１】
洗濯機本体と、前記洗濯機本体の底部に設けられた第１の弾性体により支持された外槽と、前記外槽内に回転可能に設けられた洗濯兼脱水槽と、前記洗濯兼脱水槽を回転させる駆動手段と、前記外槽の振動を抑制するダンパと、前記洗濯機本体を支持する脚を備え、前記脚に前記洗濯機本体の振動エネルギーを吸収する第２の弾性体と、前記洗濯機本体の振動を減衰する減衰手段を設け、前記減衰手段は可撓性の袋体と、隣り合う前記脚の前記袋体同士を連通する連通管を備え、前記袋体の伸縮を相互に抑制するようにした洗濯機。
【請求項２】
減衰手段は、左右に隣り合う袋体を連通管で接続し、左右に隣り合う脚の前記袋体は、第２の弾性体と同位置または下に交互に設けた請求項１記載の洗濯機。
【請求項３】
減衰手段は、前後に隣り合う袋体を連通管で接続し、前後に隣り合う脚の前記袋体は、第２の弾性体と同位置または下に交互に設けた請求項１記載の洗濯機。
【請求項４】
減衰手段は、左右に隣り合う袋体を連通管で接続し、左右に隣り合う脚の前記袋体は、第２の弾性体と同位置または下に同様に設けた請求項１記載の洗濯機。
【請求項５】
減衰手段は、前後に隣り合う袋体を連通管で接続し、前後に隣り合う脚の前記袋体は、第２の弾性体と同位置または下に同様に設けた請求項１記載の洗濯機。
【請求項６】
減衰手段は、洗濯機本体に設けた振動検知手段の信号により連通管を開放した請求項１〜５のいずれか１項に記載の洗濯機。
【請求項７】
減衰手段は、接続する袋体を切り替える接続切り替え手段を設けた請求項１〜５のいずれか１項に記載の洗濯機。
【請求項８】
減衰手段は、接続する袋体を切り替える接続切り替え手段と、洗濯機本体に設けた振動検知手段を備え、前記振動検知手段の信号により前記接続切り替え手段を動作させた請求項１または７記載の洗濯機。
【発明の詳細な説明】
【技術分野】
【０００１】
本発明は、洗濯機本体内に弾性的に支持した外槽内に回転自在に設けた洗濯兼脱水槽内で、洗濯物の洗濯、すすぎ、脱水（更に乾燥まで行う場合もある）を行う洗濯機に関するものである。
【背景技術】
【０００２】
従来、この種の洗濯機は、支持装置を洗濯機本体の下側に固定されるベースに上下方向移動可能に装着された多数の支持レッグと、前記支持レッグの下端に装着されて底面に接触するフットと、前記ベースとフットとの間に装着されて前記フットに弾性を与えるスプリングと、前記スプリングの上面及びベースの上面に装着されて、洗濯機の駆動時に発生する前記スプリングの共振を抑制して振動を低減する減衰ユニットとで構成していた（例えば、特許文献１参照）。また、洗濯機本体をスプリングとスプリングの伸縮を一定範囲に規制するストッパとからなる弾性支持脚で支えるものもあった（例えば、特許文献２参照）。
【０００３】
図１２は、特許文献１に記載された従来の洗濯機の支持装置の構成を示すものである。図１２に示すように、ベース１０の貫通孔１８に上下方向に直線移動可能に挿入される支持レッグ１２と、前記支持レッグ１２の下端に装着されて洗濯機が設置される底面に接触するフット１４と、前記フットを弾性的に支持するスプリング１６と、ベース１０の上面に装着され、洗濯機の駆動時に発生する前記スプリング１６の共振を抑制して振動を低減する減衰ユニット６０とを有している。減衰ユニット６０はハウジング６４の内周面に摩擦部材７０が摩擦することによって減衰作用を得ている。このように構成された支持装置は、スプリング１６の弾性により洗濯機の均衡を維持し、更に洗濯機から発生する振動を吸収し、洗濯機の振動が底面に伝達されることを低減するとともに、スプリング１６の共振を抑制して減衰機能を発揮し、洗濯機の振動を低減するものである。
【０００４】
図１３は特許文献２に記載された従来の洗濯機の脚装置の構成を示すものである。図１３に示すように、弾性支持脚５は、コイルスプリング２０とストッパ２１を組み合わせたもので、コイルスプリング２０は底部２２Ａを上にした有底の筒状のカバー２２の内側に収装され、一端を底部２２Ａに、もう一端を円盤状の支持部材２３を介してストッパ２１に支持される。ストッパ２１は両端にフランジ２１Ａと２１Ｂを備え、これらの間の軸部２１Ｃがカバー２２の開口部に装着されたキャップ２４を上下方向に摺動自由に貫通する。そして、キャップ２４の上方に位置するフランジ２１Ａを支持部材２３に当接し、キャップ２４の下方に位置するフランジ２１Ｂを円盤状に形成された接地部２５を介して床面１０に接地する。なお、ストッパ２１はゴムまたは樹脂で構成されている。この弾性支持脚５で洗濯機本体１を支持することにより、洗濯機本体１の振動が吸収されることになる。
【特許文献１】特開２００５−１５２６５９号公報
【特許文献２】特開平４−２４４１９５号公報
【発明の開示】
【発明が解決しようとする課題】
【０００５】
しかしながら、特許文献１の従来の構成では、減衰を得るのに摩擦を利用しているため、共振以外にも減衰力が働き、逆に洗濯機本体の振動を床面に伝え、床を大きく振動させるとう問題を有していた。
【０００６】
また、特許文献２の従来の構成では、減衰を利用せず、共振時の振動をストッパで規制
しているため、ストッパの衝撃が床面に伝わり、共振時の床面の振動や騒音が大きくなるという問題を有していた。
【０００７】
本発明は、前記従来の課題を解決するもので、洗濯機本体の共振振動と定常振動を効率的に低減し、洗濯機本体の低振動と低騒音ならびに設置床の振動低減を実現することを目的とする。
【課題を解決するための手段】
【０００８】
前記従来の課題を解決するために、本発明の洗濯機は、洗濯機本体と、洗濯機本体の底部に設けられた第１の弾性体により支持された外槽と、外槽内に回転可能に設けられた洗濯兼脱水槽と、洗濯兼脱水槽を回転させる駆動手段と、外槽の振動を抑制するダンパと、洗濯機本体を支持する脚を備え、脚に洗濯機本体の振動エネルギーを吸収する第２の弾性体と、洗濯機本体の振動を減衰する減衰手段を設け、減衰手段は可撓性の袋体と、隣り合う脚の袋体同士を連通する連通管を備え、袋体の伸縮で発生する空気の圧力で相互の袋体の伸縮を抑制するようにしたものである。
【０００９】
これによって、衝撃を発生するストッパがないので洗濯機本体の共振振動を減衰手段により衝撃なくかつ確実に低減することができる。また、第２の弾性体により、定常時の洗濯機本体の設置床に対する振動伝達エネルギーも小さくできるので、設置床の低振動化も図ることができる。
【発明の効果】
【００１０】
本発明の洗濯機は、洗濯機本体を支える脚に減衰手段を設けることで、洗濯機本体の共振を低減し、かつ第２の弾性体を脚に設けることで設置床への振動伝達エネルギーを小さくして設置床の振動も低減して、低振動と低騒音を実現することができる。
【発明を実施するための最良の形態】
【００１１】
第１の発明は、本発明の洗濯機は、洗濯機本体と、洗濯機本体の底部に設けられた第１の弾性体により支持された外槽と、外槽内に回転可能に設けられた洗濯兼脱水槽と、洗濯兼脱水槽を回転させる駆動手段と、外槽の振動を抑制するダンパと、洗濯機本体を支持する脚を備え、脚に洗濯機本体の振動エネルギーを吸収する第２の弾性体と、洗濯機本体の振動を減衰する減衰手段を設け、減衰手段は可撓性の袋体と、隣り合う脚の袋体同士を連通する連通管を備え、袋体の伸縮で発生する空気の圧力で相互の袋体の伸縮を抑制するようにしたものである。
【００１２】
これによって、衝撃を発生するストッパがないので洗濯機本体の共振振動を減衰手段により衝撃なくかつ確実に低減することができる。また、第２の弾性体により、定常時の洗濯機本体の設置床に対する振動伝達エネルギーも小さくできるので、設置床の低振動化も図ることができる。
【００１３】
第２の発明は、特に、第１の発明の減衰手段は、左右に隣り合う袋体を連通管で接続し、左右に隣り合う脚の袋体は、第２の弾性体と同位置または下に交互に設けたことにより、共振時に洗濯機本体が大きく左右振動して袋体の伸縮が大きくなると、連通管を流れる空気量も多くなり、相互の袋体の伸縮を抑制するようになって減衰力が発生し、洗濯機本体の左右方向の振動を低減するように働く。また、定常時は洗濯機本体の振動は小さく、袋体の伸縮も小さくなって連通管を流れる空気量も減り、伸縮を抑制する力も小さくなって減衰力が減少し、洗濯機本体の振動が設置床に伝わりにくくなると共に、第２の弾性体で洗濯機本体の振動エネルギーが吸収され、更に洗濯機本体の振動が設置床に伝わらなくなるので設置床の振動とそれにより発生する騒音を低減することができる。
【００１４】
第３の発明は、特に、第１の発明の減衰手段は、前後に隣り合う袋体を連通管で接続し、前後に隣り合う脚の袋体は、第２の弾性体と同位置または下に交互に設けたことにより、共振時に洗濯機本体が大きく前後振動して袋体の伸縮が大きくなると、連通管を流れる空気量も多くなり、相互の袋体の伸縮を抑制するようになって減衰力が発生し、洗濯機本体の前後方向の振動を低減するように働く。また、定常時は洗濯機本体の振動は小さく、袋体の伸縮も小さくなって連通管を流れる空気量も減り、伸縮を抑制する力も小さくなって減衰力が減少し、洗濯機本体の振動が設置床に伝わりにくくなると共に、第２の弾性体で洗濯機本体の振動エネルギーが吸収され、更に洗濯機本体の振動が設置床に伝わらなくなるので設置床の振動とそれにより発生する騒音を低減することができる。
【００１５】
第４の発明は、特に、第１の発明の減衰手段は、左右に隣り合う袋体を連通管で接続し、左右に隣り合う脚の袋体は、第２の弾性体と同位置または下に同様に設けたことにより、共振時に洗濯機本体が大きく前後振動して袋体の伸縮が大きくなると、連通管を流れる空気量も多くなり、相互の袋体の伸縮を抑制するようになって減衰力が発生し、洗濯機本体の前後方向の振動を低減するように働く。また、定常時は洗濯機本体の振動は小さく、袋体の伸縮も小さくなって連通管を流れる空気量も減り、伸縮を抑制する力も小さくなって減衰力が減少し、洗濯機本体の振動が設置床に伝わりにくくなると共に、第２の弾性体で洗濯機本体の振動エネルギーが吸収され、更に洗濯機本体の振動が設置床に伝わらなくなるので設置床の振動とそれにより発生する騒音を低減することができる。また、袋体の取り付け位置が隣り合う脚で同様なため連通管の接続が簡単になり、信頼性も向上する。
【００１６】
第５の発明は、特に、第１の発明の減衰手段は、前後に隣り合う袋体を連通管で接続し、前後に隣り合う脚の袋体は、第２の弾性体と同位置または下に同様に設けたことにより、共振時に洗濯機本体が大きく左右振動して袋体の伸縮が大きくなると、連通管を流れる空気量も多くなり、相互の袋体の伸縮を抑制するようになって減衰力が発生し、洗濯機本体の左右方向の振動を低減するように働く。また、定常時は洗濯機本体の振動は小さく、袋体の伸縮も小さくなって連通管を流れる空気量も減り、伸縮を抑制する力も小さくなって減衰力が減少し、洗濯機本体の振動が設置床に伝わりにくくなると共に、第２の弾性体で洗濯機本体の振動エネルギーが吸収され、更に洗濯機本体の振動が設置床に伝わらなくなるので設置床の振動とそれにより発生する騒音を低減することができる。また、袋体の取り付け位置が隣り合う脚で同様なため連通管の接続が簡単になり、信頼性も向上する。
【００１７】
第６の発明は、特に、第１の発明の減衰手段は、洗濯機本体に設けた振動検知手段の信号により連通管を開放したことにより、洗濯機本体が共振して振動が大きい時に減衰力を発生させ、それ以外の洗濯機本体の振動が小さい時は、減衰力を無くして床への振動伝達を減らし、床振動を低減することができる。
【００１８】
第７の発明は、特に、第１の発明の減衰手段は、接続する袋体を切り替える接続切り替え手段を設けたことにより、洗濯機本体の振動方向に応じて減衰力を発生することができ洗濯機本体の共振振動を効果的に低減することができる。
【００１９】
第８の発明は、特に、第１の発明の減衰手段は、接続する袋体を切り替える接続切り替え手段と、洗濯機本体に設けた振動検知手段を備え、前記振動検知手段の信号により前記接続切り替え手段を動作させたことにより、洗濯機本体の振動方向に応じて最適な方向に減衰力を発生させることができ、更に効率よく洗濯機本体の共振振動を低減することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における洗濯機の断面図を示すものである。図２は、同洗濯機の脚の断面図を示すものである。
【００２２】
図１、図２において、洗濯機本体３０の内部に収納された外槽３３は、洗濯機本体の底部３０ａに設けられた２本の第１の弾性体３１と、２本のダンパ３２により弾性支持されている。洗濯兼脱水槽３４は、外槽３３内に回転自在に配設している。モータ（駆動手段）３５は、ブラシレス直流モータから成っており、インバータ制御され、回転速度が自在に変化されるようになっている。そして直接洗濯兼脱水槽３４を駆動する。給水手段３６は洗濯兼脱水槽３４内に給水するものである。水位検知手段３７は、外糟３３内の洗濯水位を検知する。排水手段３８は、外槽３３内の洗濯水を排水するものである。
【００２３】
制御装置３９は、洗濯機本体３０の前面下部に設けられている。制御装置３９は、洗濯機本体３０の前面上部に設けられた操作表示手段４０により入力された設定内容に基づいて洗い、すすぎ、脱水の各工程を逐次制御するもので、パワースイッチング手段（図示せず）を介してモータ３５、給水手段３６、排水手段３８などを逐次制御する。ダンパ３２は、オイルを作動流体とする粘性ダンパで、脱水起動時の外槽３３の共振振動振幅を低減するものであり、洗濯機本体の底部３０ａと外槽３３の底部３３ａの間に緩衝体３２ａを介して回転自在に固定されている。引っ張りばね４１は外槽３３の姿勢を維持するもので、天板３０ｂと外槽３３の間に設けられている。脚４２は洗濯機本体の底部３０ａの四隅に配置されており、有底筒状の脚本体４２ａ、支持体４２ｂ、第２の弾性体４２ｃ、袋体４２ｄで構成されている。脚本体４２ａに第２の弾性体４２ｃが挿入され次に支持体４２ｂが取り付けられる。袋体４２ｄは、第２の弾性体４２ｃの外側に配置されている。脚本体４２ａの上部には洗濯機本体の底部３０ａに取り付けるためのねじ部４２ｅが設けられており、ねじ部４２ｅの中央には袋体４２ｄの内部に通ずる管路４２ｆが設けられている。ねじ部４２ｅが洗濯機本体の底部３０ａに挿入されナット４３で固定される。減衰手段４４は隣り合う脚４２の管路４２ｆ同士を連通管４５で接続して構成されている。支持体４２ｂの接地部には緩衝ゴム４２ｇが取り付けられ、洗濯機本体３０の振動の吸収と設置床の保護を行っている。
【００２４】
以上のように構成された洗濯機について、以下その動作、作用を説明する。まず、洗濯兼脱水槽３４内に衣類と洗剤を投入後、操作表示手段４０を操作して運転を開始する。これによって、給水手段３６が動作し、洗濯兼脱水槽３４内に洗濯水が供給されると共に洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０ｒ／ｍｉｎ程度の低速で回転して、衣類を持ち上げては落とすというたたき洗いを規定時間行う。
【００２５】
洗濯終了後、排水手段３８が作動し、汚れを溶かし込んだ洗濯水は、外槽３３の外に排水される。排水終了後、洗濯兼脱水槽３４の回転は徐々に速くなり脱水工程に入る。脱水起動時、洗濯兼脱水槽３４の回転数が２５０から３００ｒ／ｍｉｎの間は、洗濯物の偏り状態によって外槽３３が前後左右に揺れながら大きく上下動する場合がある。この時、外槽３３の上下動は、弾性体３１により緩衝され、ダンパ３２により減衰される。また、外槽３３の振動伝達も軽減されることになる。しかし、多少は弾性体３１と、ダンパ３２と、引っ張りばね４１介して洗濯機本体３０の天板３０ｂや底部３０ａに伝わり、洗濯機本体３０を振動させることになる。この振動は、脚４２を介して設置床（図示せず）に伝わり、軟弱な床の場合、床が大きく振動することになる。この時、第２の弾性体４２ｃは洗濯機本体３０の振動を吸収するために伸縮し、それに伴って袋体４２ｄも伸縮する。袋体４２ｄの伸縮は、隣り合う脚４２で同じになる。すなわち、一方が縮むと片方も縮み、一方が伸びると片方も伸びている。袋体４２ｄの空気は袋体４２ｄが縮むと管路４２ｆから
流出し、連通管４５を通って隣り合う脚４２の袋体４２ｄ流入し、袋体４２ｄを伸ばそうとするが、力の方向は袋体４２ｄを縮める方向なのでこの縮める方向の力を弱めるように作用する。逆に袋体４２ｄが伸びるときは、袋体４２ｄ内に空気が流入し、隣り合う脚４２の袋体４２ｄを縮めようとするが、その袋体４２ｄに働く力は、袋体４２ｄを伸ばす方向なのでこの伸ばす方向の力を弱めるように作用する。これらが減衰手段４４として機能し洗濯機本体３０の振動を低減するように働く。
【００２６】
洗濯兼脱水槽３４の回転数が上昇して定常回転前の１０Ｈｚ前後に達すると、洗濯機本体３０が共振振動を始める。この振動も設置床を大きく振動させることになる。この時も同様に減衰手段４３が機能して洗濯機本体３０の振動は低減されることになる。更に洗濯兼脱水槽３４の回転数が上昇して定常回転になると、洗濯機本体３０の振動は小さくなる。それに伴って袋体４２ｄの伸縮量も減り減衰手段４４の減衰力も小さくなり、洗濯機本体３０の振動が設置床に伝わりにくくなる。
【００２７】
以上のように本実施の形態においては、脚４２に洗濯機本体３０の振動を抑える減衰手段４４を設けたことにより、洗濯機本体３０の振動は減衰手段４４により確実に低減される。また、洗濯機本体３０から設置床に伝わる振動エネルギーも小さくなるので、設置床の低振動化も図ることができる。
【００２８】
（実施の形態２）
図３は、本発明の第２の実施の形態における洗濯機の正面の断面図を示すものである。図４は、同洗濯機の隣り合う脚の断面図を示すものである。
【００２９】
図３、図４において、減衰手段４４は、左右に隣り合う袋体４２ｄを連通管４５で接続し、左右に隣り合う脚４２の袋体４２ｄは、第２の弾性体４２ｃと同位置または下に交互に設けたものである。これにより、共振時に洗濯機本体３０が大きく左右振動して袋体４２ｄの伸縮が大きくなると、連通管４５を流れる空気量も多くなり、相互の袋体４２ｄの伸縮を抑制するようになって減衰力が発生し、洗濯機本体３０の左右方向の振動を低減するように働く。また、定常時は洗濯機本体３０の振動は小さく、袋体４２ｄの伸縮も小さくなって連通管４５を流れる空気量も減り、伸縮を抑制する力も小さくなって減衰力が減少し、洗濯機本体３０の振動が設置床に伝わりにくくなると共に、第２の弾性体４２ｃで洗濯機本体３０の振動エネルギーが吸収され、更に洗濯機本体３０の振動が設置床に伝わらなくなるので設置床の振動とそれにより発生する騒音を低減することができる。
【００３０】
（実施の形態３）
図５は、本発明の第３の実施の形態における洗濯機の正面の断面図を示すものである。図６は、同洗濯機の隣り合う脚の断面図を示すものである。
【００３１】
図５、図６において、減衰手段４４は、前後に隣り合う袋体４２ｄを連通管４５で接続し、前後に隣り合う脚４２の袋体４２ｄは、第２の弾性体４２ｃと同位置または下に交互に設けたものである。これにより、共振時に洗濯機本体３０が大きく前後振動して袋体４２ｄの伸縮が大きくなると、連通管４５を流れる空気量も多くなり、相互の袋体４２ｄの伸縮を抑制するようになって減衰力が発生し、洗濯機本体３０の前後方向の振動を低減するように働く。また、定常時は洗濯機本体３０の振動は小さく、袋体４２ｄの伸縮も小さくなって連通管４５を流れる空気量も減り、伸縮を抑制する力も小さくなって減衰力が減少し、洗濯機本体３０の振動が設置床に伝わりにくくなると共に、第２の弾性体４２ｃで洗濯機本体３０の振動エネルギーが吸収され、更に洗濯機本体３０の振動が設置床に伝わらなくなるので設置床の振動とそれにより発生する騒音を低減することができる。
【００３２】
（実施の形態４）
図７は、本発明の第４の実施の形態における洗濯機の脚の断面図を示すものである。
【００３３】
図７において、減衰手段４４は、左右に隣り合う袋体４２ｄを連通管４５で接続し、左右に隣り合う脚４２の袋体４２ｄは、第２の弾性体４２ｃと同位置または下に同様に設けたことにより、共振時に洗濯機本体３０が大きく前後振動して袋体４２ｄの伸縮が大きくなると、連通管４５を流れる空気量も多くなり、相互の袋体４２ｄの伸縮を抑制するようになって減衰力が発生し、洗濯機本体３０の前後方向の振動を低減するように働く。また、定常時は洗濯機本体３０の振動は小さく、袋体４２ｄの伸縮も小さくなって連通管４５を流れる空気量も減り、伸縮を抑制する力も小さくなって減衰力が減少し、洗濯機本体３０の振動が設置床に伝わりにくくなると共に、第２の弾性体４２ｃで洗濯機本体３０の振動エネルギーが吸収され、更に洗濯機本体３０の振動が設置床に伝わらなくなるので設置床の振動とそれにより発生する騒音を低減することができる。また、袋体４２ｄの取り付け位置が隣り合う脚で同様なため連通管４５の接続が簡単になり、信頼性も向上する。
【００３４】
（実施の形態５）
図８は、本発明の第５の実施の形態における洗濯機の脚の断面図を示すものである。
【００３５】
図８において、減衰手段４４は、前後に隣り合う袋体４２ｄを連通管４５で接続し、前後に隣り合う脚４２の袋体４２ｄは、第２の弾性体４２ｃと同位置または下に同様に設けたことにより、共振時に洗濯機本体３０が大きく左右振動して袋体の伸縮が大きくなると、連通管４５を流れる空気量も多くなり、相互の袋体４２ｄの伸縮を抑制するようになって減衰力が発生し、洗濯機本体３０の左右方向の振動を低減するように働く。また、定常時は洗濯機本体３０の振動は小さく、袋体４２ｄの伸縮も小さくなって連通管４５を流れる空気量も減り、伸縮を抑制する力も小さくなって減衰力が減少し、洗濯機本体３０の振動が設置床に伝わりにくくなると共に、第２の弾性体４２ｃで洗濯機本体３０の振動エネルギーが吸収され、更に洗濯機本体３０の振動が設置床に伝わらなくなるので設置床の振動とそれにより発生する騒音を低減することができる。また、袋体４２ｄの取り付け位置が隣り合う脚で同様なため連通管４５の接続が簡単になり、信頼性も向上する。
【００３６】
（実施の形態６）
図９は、本発明の第６の実施の形態における洗濯機の断面図を示すものである。図９において、減衰手段４４は、洗濯機本体３０に設けた加速度センサーを使用した振動検知手段４６の信号により連通管４５に設けた電磁弁からなる開閉手段４７を開放したことにより、洗濯機本体３０が共振して振動が大きい時に減衰力を発生させ、それ以外の洗濯機本体３０の振動が小さい時は、減衰力を無くして床への振動伝達を減らし、床振動を低減することができる。
【００３７】
（実施の形態７）
図１０は、本発明の第７の実施の形態における洗濯機の要部の平面図を示すものである。図１１は、同洗濯機の要部の平面図を示すものである。図１０、図１１において、減衰手段４４は、接続する袋体４２ｄを切り替える接続切り替え手段４８を設けたものである。接続切り替え手段４８は円筒状のケース４８ａと、ケース４８ａの内壁に密着して回転する弁体４８ｂと、弁体４８ｂを回転させるモータ（図示せず）を備えており、ケース４８ａの側壁に設けた４つの貫通孔４８ｃの１対を弁体４８ｂに設けた２つの連通孔４８ｄで接続し、弁体４８ｂを回転することで接続する貫通孔４８ｃの対を切り替えている。これにより、洗濯機本体３０の振動方向に応じて減衰力を発生することができ洗濯機本体３０の共振振動を効果的に低減することができる。
【００３８】
（実施の形態８）
減衰手段４４は、接続する袋体４２ｄを切り替える接続切り替え手段４８と、洗濯機本
体３０に設けた振動検知手段４６を備え、振動検知手段４６の信号により接続切り替え手段４８を動作させたことにより、洗濯機本体３０の振動方向に応じて最適な方向に減衰力を発生させることができ、更に効率よく洗濯機本体３０の共振振動を低減することができる。
【００３９】
上記の実施の形態では、洗濯兼脱水槽３４の回転軸は水平としたが、洗濯兼脱水槽３４が前方高位に傾斜している場合でも同様の効果が得られる。
【産業上の利用可能性】
【００４０】
以上のように、本発明にかかる洗濯機は、洗濯機本体を支持する脚に減衰手段を設けることで、洗濯機本体と設置床の振動を低減できるので、洗濯機以外の回転機械の防振にも応用可能である。
【図面の簡単な説明】
【００４１】
【図１】本発明の実施の形態１における洗濯機の断面図
【図２】同洗濯機の脚の断面図
【図３】本発明の実施の形態２における洗濯機の正面の断面図
【図４】同洗濯機の脚の断面図
【図５】本発明の実施の形態３における洗濯機の断面図
【図６】同洗濯機の脚の断面図
【図７】本発明の実施の形態４における洗濯機の脚の断面図
【図８】本発明の実施の形態５における洗濯機の脚の断面図
【図９】本発明の実施の形態６における洗濯機の断面図
【図１０】本発明の実施の形態７における洗濯機の要部の平面図
【図１１】同洗濯機の要部の平面図
【図１２】従来の洗濯機の脚の断面図
【図１３】従来の洗濯機の脚の断面図
【符号の説明】
【００４２】
３０  洗濯機本体
３０ａ  洗濯機本体の底部
３１  第１の弾性体
３２  ダンパ
３３  外槽
３４  洗濯兼脱水槽
３５  駆動手段
４２  脚
４２ｃ  第２の弾性体
４２ｄ  袋体
４４  減衰手段
４５  連通管
４６  振動検知手段
４８  接続切り替え手段
【図１】
2010194028.tif 000003
【図２】
2010194028.tif 000004
【図３】
2010194028.tif 000005
【図４】
2010194028.tif 000006
【図５】
2010194028.tif 000007
【図６】
2010194028.tif 000008
【図７】
2010194028.tif 000009
【図８】
2010194028.tif 000010
【図９】
2010194028.tif 000011
【図１０】
2010194028.tif 000012
【図１１】
2010194028.tif 000013
【図１２】
2010194028.tif 000014
【図１３】
2010194028.tif 000015